(57)【要約】【課題】安定して患者に装着されるチューブ固定具及び医療用チューブの固定方法を提供する。【解決手段】透析患者の肢体に巻かれ、透析チューブＴを保持するチューブ固定具１０は、長手方向に伸縮するバンド部１２と、バンド部１２の一方の側の面ＳＤ１に設けられ、透析チューブＴに接触する第１の保持部材１４ａと、バンド部１２の他方の側の面ＳＤ２に設けられ、透析チューブＴに第１の保持部材１４ａとは反対の側から接触する第２の保持部材１４ｂと、を備える。【選択図】図１
2016101203.tif 000002
【特許請求の範囲】
【請求項１】
透析患者の肢体に巻かれ、透析チューブを保持するチューブ固定具であって、
長手方向に伸縮するバンド部と、
前記バンド部の一方の側の面に設けられ、前記透析チューブに接触する第１の保持部材と、
前記バンド部の他方の側の面に設けられ、前記透析チューブに前記第１の保持部材とは反対の側から接触する第２の保持部材と、を備えたチューブ固定具。
【請求項２】
請求項１記載のチューブ固定具において、
前記バンド部の一方の側の面に、第１の面ファスナーが設けられており、
前記バンド部の他方の側の面の前記第２の保持部材の両側に、それぞれ前記第１の面ファスナーに対応する第２の面ファスナーが設けられているチューブ固定具。
【請求項３】
請求項２記載のチューブ固定具において、
前記第１の保持部材及び前記第２の保持部材の材質が、ＥＰＤＭの発泡体であるチューブ固定具。
【請求項４】
請求項１〜３のいずれか１項に記載のチューブ固定具において、
前記バンド部の他方の側の面の上であって、前記バンド部を挟んで前記第１の保持部材と反対側の位置に設けられた緩衝部材を更に備えたチューブ固定具。
【請求項５】
請求項４記載のチューブ固定具において、
前記緩衝部材を覆い、前記透析患者の肢体に接触するカバーを更に備えたチューブ固定具。
【請求項６】
請求項５記載のチューブ固定具において、
前記カバーが、面ファスナーにより前記バンド部に対して着脱可能となっているチューブ固定具。
【請求項７】
請求項５又は６記載のチューブ固定具において、
前記緩衝部材が、ＥＰＤＭの発泡体であるチューブ固定具。
【請求項８】
患者の肢体に巻かれ、医療用チューブを保持するチューブ固定具であって、
長手方向に伸縮するバンド部と、
前記バンド部の一方の側の面に設けられ、前記医療用チューブに接触する第１の保持部材と、
前記バンド部の他方の側の面に設けられ、前記医療用チューブに前記第１の保持部材とは反対の側から接触する第２の保持部材と、を備えたチューブ固定具。
【請求項９】
請求項８記載のチューブ固定具を使用した医療用チューブの固定方法であって、
前記患者の肢体に前記バンド部を位置決めするステップと、
前記バンド部を前記肢体に巻き付けるステップと、
前記医療用チューブを前記第１の保持部材及び前記第２の保持部材にて挟むステップと、を含む医療用チューブの固定方法。
【発明の詳細な説明】
【技術分野】
【０００１】
本発明は、チューブ固定具及び医療用チューブの固定方法に関する。
【背景技術】
【０００２】
特許文献１には、患者の腕に対する着脱が容易で、点滴針の抜去を確実に防止することができる点滴針抜去防止具が記載されている。この点滴針抜去防止具は、シート状の部材を腕に巻き付けて、その一方の端部の表面側と他方の端部の裏面側とを係止させて使用する点滴針抜去防止具であって、一方の端部側の表面側に設けられた面ファスナーのＡ面と、他方の端部側の裏面側に設けられて面ファスナーのＡ面に対して係脱される面ファスナーのＢ面と、Ａ面に突設されて点滴チューブが巻きつけられるとともに、Ａ面にＢ面が係合されることで、巻き付けられた点滴チューブの脱落が防止される巻き掛け凸部と、を備えている。
【先行技術文献】
【特許文献】
【０００３】
【特許文献１】特開２００７−２９６０８２号公報
【発明の概要】
【発明が解決しようとする課題】
【０００４】
ここで一般に、患者から延びるチューブがずれると、チューブ先端に接続された穿刺針が抜けてしまう可能性がある。
本発明は、安定して患者に装着されるチューブ固定具及び医療用チューブの固定方法を提供することを目的とする。
【課題を解決するための手段】
【０００５】
前記目的に沿う第１の発明に係るチューブ固定具は、透析患者の肢体に巻かれ、透析チューブを保持するチューブ固定具であって、
長手方向に伸縮するバンド部と、
前記バンド部の一方の側の面に設けられ、前記透析チューブに接触する第１の保持部材と、
前記バンド部の他方の側の面に設けられ、前記透析チューブに前記第１の保持部材とは反対の側から接触する第２の保持部材と、を備える。
【０００６】
第１の発明に係るチューブ固定具において、
前記バンド部の一方の側の面に、第１の面ファスナーが設けられており、
前記バンド部の他方の側の面の前記第２の保持部材の両側に、それぞれ前記第１の面ファスナーに対応する第２の面ファスナーが設けられていることが好ましい。
【０００７】
第１の発明に係るチューブ固定具において、
前記第１の保持部材及び前記第２の保持部材の材質が、ＥＰＤＭの発泡体であることが好ましい。
【０００８】
第１の発明に係るチューブ固定具において、
前記バンド部の他方の側の面の上であって、前記バンド部を挟んで前記第１の保持部材と反対側の位置に設けられた緩衝部材を更に備えることが好ましい。
【０００９】
第１の発明に係るチューブ固定具において、
前記緩衝部材を覆い、前記透析患者の肢体に接触するカバーを更に備えることが好ましい。
【００１０】
第１の発明に係るチューブ固定具において、
前記カバーが、面ファスナーにより前記バンド部に対して着脱可能となっていることが好ましい。
【００１１】
第１の発明に係るチューブ固定具において、
前記緩衝部材が、ＥＰＤＭの発泡体であることが好ましい。
【００１２】
前記目的に沿う第２の発明に係るチューブ固定具は、患者の肢体に巻かれ、医療用チューブを保持するチューブ固定具であって、
長手方向に伸縮するバンド部と、
前記バンド部の一方の側の面に設けられ、前記医療用チューブに接触する第１の保持部材と、
前記バンド部の他方の側の面に設けられ、前記医療用チューブに前記第１の保持部材とは反対の側から接触する第２の保持部材と、を備える。
【００１３】
前記目的に沿う第３の発明に係る医療用チューブの固定方法は、第２の発明に係るチューブ固定具を使用した医療用チューブの固定方法であって、
前記患者の肢体に前記バンド部を位置決めするステップと、
前記バンド部を前記肢体に巻き付けるステップと、
前記医療用チューブを前記第１の保持部材及び前記第２の保持部材にて挟むステップと、を含む。
【発明の効果】
【００１４】
本発明によれば、安定して患者に装着されるチューブ固定具及び医療用チューブの固定方法を提供できる。
【図面の簡単な説明】
【００１５】
【図１】（Ａ）、（Ｂ）はそれぞれ、本発明の第１の実施の形態に係るチューブ固定具の側面図及び底面図（手首側から見た図）である。
【図２】（Ａ）、（Ｂ）はそれぞれ、同チューブ固定具を透析患者の手首に巻き付ける前及び巻き付けた後の状態を示す説明図である。
【図３】（Ａ）、（Ｂ）はそれぞれ、本発明の第２の実施の形態に係るチューブ固定具の側面図及び底面図（手首側から見た図）である。
【図４】（Ａ）、（Ｂ）はそれぞれ、同チューブ固定具を透析患者の手首に巻き付ける前及び巻き付けた後の状態を示す説明図である。
【図５】（Ａ）〜（Ｃ）は、同チューブ固定具の使用方法を示す写真である。
【発明を実施するための形態】
【００１６】
続いて、添付した図面を参照しつつ、本発明を具体化した実施の形態につき説明し、本発明の理解に供する。なお、説明に関連しない部分は図示を省略する場合がある。
【００１７】
〔第１の実施の形態〕
本発明の第１の実施の形態に係るチューブ固定具１０ａは、透析患者の手首部（肢体の一例）Ｗに巻かれ、患者に挿入された穿刺針から延びる透析チューブ（医療用チューブの一例）Ｔを保持できる。
チューブ固定具１０ａは、図１及び図２に示すように、バンド部１２、第１の保持部材１４ａ、及び第２の保持部材１４ｂを備えている。
【００１８】
バンド部１２は、帯状の部材であり、長手方向に伸縮する。バンド部１２の一方の側の面ＳＤ１（図１（Ａ）参照）には、全面に渡って第１の面ファスナー（例えば、面ファスナーのＢ面）ＦＳｂが設けられている。
【００１９】
第１の保持部材１４ａは、直方体状のＥＰＤＭの発泡体であり、バンド部１２の一方の側の面ＳＤ１に設けられている。第１の保持部材１４ａは、バンド部１２の中央よりも一方の端部の側に配置されている。
第１の保持部材１４ａには、透析チューブＴが接触する。
【００２０】
第２の保持部材１４ｂは、直方体状のＥＰＤＭの発泡体であり、バンド部１２の他方の側の面ＳＤ２に設けられている。第２の保持部材１４ｂは、バンド部１２の中央よりも他方の端部の側に配置されている。第２の保持部材１４ｂの長手方向の長さは、第１の保持部材１４ａの長手方向の長さよりも長くなっている。
第２の保持部材１４ｂは、第１の保持部材１４ａとは反対の側から透析チューブＴに接触できる。
バンド部１２の他方の側の面ＳＤ２の第２の保持部材１４ｂの両側には、それぞれ、前述の第１の面ファスナーＦＳｂに対応する第２の面ファスナー（例えば、面ファスナーのＡ面）ＦＳａ１、ＦＳａ２が設けられている。
【００２１】
なお、ＥＰＤＭの発泡体は汎用ゴムの中で耐久性、耐候性、耐寒性、耐熱性、耐薬品性（酸やアルカリ）、及び耐アルコール性に優れている。ＥＰＤＭの発泡体は、柔軟な素材のため、圧縮しやすく、復元力も優れている。ＥＰＤＭの発泡体は、表面が適度に荒れているため、表面が平滑な塩化ビニル製の透析チューブＴとの摩擦係数が比較的大きな値となる。
【００２２】
次に、チューブ固定具１０ａの使用方法（チューブ固定具１０ａを使用した透析チューブＴの固定方法）について説明する。チューブ固定具１０ａは、以下のステップに従って使用される。なお、可能な場合には、各ステップは順番が入れ替えられて実行されてもよいし、並行して実行されてもよい。
【００２３】
（ステップＳａ１）
透析患者の手首部Ｗの内側が、バンド部１２を挟んで第１の保持部材１４ａの反対側にくるように、チューブ固定具１０ａを位置決めする。
チューブ固定具１０ａは、尺骨茎状突起に近接した位置であって、尺骨茎状突起がある部位よりも肘側の位置に装着されることが好ましい。
【００２４】
（ステップＳａ２）
バンド部１２を手首部Ｗに巻き付け、第１の面ファスナーＦＳｂに第２の面ファスナーＦＳａ１を留める。
【００２５】
（ステップＳａ３）
透析チューブＴを第１の保持部材１４ａの上に載せる。透析チューブＴを、第１の保持部材１４ａ及び第２の保持部材１４ｂにて挟む。
【００２６】
（ステップＳａ４）
バンド部１２を更に手首部Ｗに巻き付け、第１の面ファスナーＦＳｂに第２の面ファスナーＦＳａ２を留める。
【００２７】
以上のステップを経ることによって、透析チューブＴは、透析患者の手首部Ｗに固定される。
一般に、透析にかかる時間は４〜５時間である。透析の前後で、透析患者の体重は２〜４ｋｇ減少する。透析患者の体重が減少することに伴って、手首部Ｗの径も減少するが、この径の変化に応じてバンド部１２が縮む。
従って、チューブ固定具１０ａは、安定して手首部Ｗに装着される。
【００２８】
〔第２の実施の形態〕
続いて、本発明の第２の実施の形態に係るチューブ固定具１０ｂ（図３及び図４参照）について説明する。第１の実施の形態に係るチューブ固定具１０ａと同一の構成要素については、同じ符号を付して詳しい説明を省略する。
【００２９】
バンド部１２ｂは、帯状の部材であり、長手方向に伸縮する。バンド部１２ｂの一方の側の面ＳＤ１（図３（Ａ）参照）には、全面に渡って第１の面ファスナー（例えば、面ファスナーのＢ面）ＦＳｂが設けられている。
【００３０】
チューブ固定具１０ｂは、緩衝部材１６を更に備えている。
緩衝部材１６は、例えば直方体状のＥＰＤＭの発泡体であり、バンド部１２ｂの他方の側の面ＳＤ２の上に設けられている。緩衝部材１６は、バンド部１２ｂを挟んで第１の保持部材１４ａと反対側の位置に設けられている。
緩衝部材１６の長手方向の長さは、第１の保持部材１４ａの長手方向の長さよりも長くなっている。
バンド部１２ｂの他方の側の面ＳＤ２の緩衝部材１６の両側には、それぞれ、第２の面ファスナー（例えば、面ファスナーのＡ面）ＦＳａ４、ＦＳａ５が設けられている。
【００３１】
緩衝部材１６は、透析患者の手首部Ｗに接触する帯状のカバー５０により覆われる。カバー５０は、緩衝部材１６が透析患者の肌に直接触れないように透析患者の装着部分を保護できる。
カバー５０の両端部には、第２の面ファスナーＦＳａ４、ＦＳａ５に対応する第１の面ファスナー（例えば、面ファスナーのＢ面）ＦＳｂ４、ＦＳｂ５が設けられている。すなわち、カバー５０は、面ファスナーにより、バンド部１２ｂに対して着脱可能となっている。
カバー５０は、透析患者の使用感を考慮して、例えば、ポリエステル１００％の布地又は綿１００％の布地であることが好ましい。
【００３２】
バンド部１２ｂの他方の側の面ＳＤ２の第２の保持部材１４ｂの両側には、それぞれ、前述の第１の面ファスナーＦＳｂに対応する第２の面ファスナー（例えば、面ファスナーのＡ面）ＦＳａ１及び第２の面ファスナー（例えば、面ファスナーのＡ面）ＦＳａ２、ＦＳａ３が設けられている。
なお、第２の面ファスナーＦＳａ２、ＦＳａ３は、一方のみが設けられていてもよいし、その大きさは、使用条件に応じて、適宜変更されてもよい。
【００３３】
次に、チューブ固定具１０ｂの使用方法（チューブ固定具１０ｂを使用した透析チューブＴの固定方法）について説明する。チューブ固定具１０ｂは、以下のステップに従って使用される。なお、可能な場合には、各ステップは順番が入れ替えられて実行されてもよいし、並行して実行されてもよい。
【００３４】
（ステップＳｂ１）
第２の面ファスナーＦＳａ４、ＦＳａ５に、それぞれ、第１の面ファスナーＦＳｂ４、ＦＳｂ５を留め、カバー５０にて緩衝部材１６を覆う。
【００３５】
（ステップＳｂ２）
カバー５０にて覆われた緩衝部材１６が透析患者の手首部Ｗの内側にくるように、チューブ固定具１０ｂを位置決めする。
チューブ固定具１０ｂは、尺骨茎状突起に近接した位置であって、尺骨茎状突起がある部位よりも肘側の位置に装着されることが好ましい。
【００３６】
（ステップＳｂ３）
図５（Ａ）に示すように、バンド部１２ｂを手首部Ｗに巻き付け、第１の面ファスナーＦＳｂに第２の面ファスナーＦＳａ１を留める。
【００３７】
（ステップＳｂ４）
図５（Ｂ）に示すように、透析チューブＴを第１の保持部材１４ａの上に載せる。透析チューブＴを第１の保持部材１４ａ及び第２の保持部材１４ｂにて挟む。
【００３８】
（ステップＳｂ５）
バンド部１２ｂを更に手首部Ｗに巻き付け、図５（Ｃ）に示すように、第１の面ファスナーＦＳｂに第２の面ファスナーＦＳａ２、ＦＳａ３を留める。
【００３９】
以上のステップを経ることによって、透析チューブＴは、透析患者の手首部Ｗに固定される。
チューブ固定具１０ｂは、透析前後の手首部Ｗの径が変化する場合には、バンド部１２ｂが伸縮するとともに緩衝部材１６の厚みが変化するので、安定して手首部Ｗに装着される。
また、チューブ固定具１０ｂによれば、緩衝部材１６によって透析患者の装着部位を締め付ける力が緩和されるので、透析患者が感じる締め付け感が低減される。
【００４０】
以上、本発明の実施の形態を説明したが、本発明は、上記した形態に限定されるものでなく、要旨を逸脱しない条件の変更等は全て本発明の適用範囲である。
チューブ固定具が保持できるチューブは、透析チューブに限定されず、点滴チューブ等の医療用チューブであってもよい。
また、チューブ固定具は、手首部だけでなく、肢体の任意の部位に装着できる。
【符号の説明】
【００４１】
１０ａ、１０ｂ  チューブ固定具
１２、１２ｂ  バンド部
１４ａ  第１の保持部材
１４ｂ  第２の保持部材
１６  緩衝部材
５０  カバー
ＦＳａ１〜ＦＳａ５  第２の面ファスナー
ＦＳｂ  第１の面ファスナー
ＦＳｂ４、ＦＳｂ５  第１の面ファスナー
ＳＤ１  一方の側の面
ＳＤ２  他方の側の面
Ｔ  透析チューブ
Ｗ  手首部
【図１】
2016101203.tif 000003
【図２】
2016101203.tif 000004
【図３】
2016101203.tif 000005
【図４】
2016101203.tif 000006
【図５】
2016101203.tif 000007